(57)【要約】【課題】従来技術の欠点を解消できる液体運搬パッケージ用注ぎ口具の自動開口構造のカムを提供することにある。【解決手段】再封可能蓋（２）が注ぎ口固定具（４）上に戻されるときにカムフォロワ（３２）が破壊されることを防止するため、蓋（２）には第二カム（１０）が形成され、該第二カムは第一カム（８）の半径方向外方部分に配置されている。カムフォロワ（３２）が端領域（１２）に到達したとき、カムフォロワは半径方向内方に移動して、第一カムのカム面（１１）上に戻ることができる。これにより、カムフォロワは、その後の開口作動が行なえるように正しく配置される。【選択図】図１
2005506255.tif 000002
【特許請求の範囲】
【請求項１】
注ぎ口固定具（４）および再封可能蓋（２）を有し、注ぎ口固定具（４）は平ベース（２９）と、注ぎ口ゾーンを形成する管状側壁（２４）と、該側壁（２４）の下端部に配置されたフラップ（２６）と、該フラップ（２６）から上方に延びているカムフォロワ（３２）とを備え、前記注ぎ口固定具上に保持される蓋（２）は端壁（５）および管状側壁（３）を備え、端壁（５）は、これから垂下しかつ前記カムフォロワ（３２）と係合できる第一カム（８）を備え、該第一カム（８）は蓋（２）の回転中にカムフォロワ（３２）に接触する構成の注ぎ口具において、再封可能蓋（２）には第二カム（１０）が形成されており、該第二カム（１０）は第一カム（８）の半径方向外方に配置されていることを特徴とする注ぎ口具。
【請求項２】
前記第二カム（１０）は、第一カム（８）に実質的に隣接していることを特徴とする請求項１記載の注ぎ口具。
【請求項３】
前記第一カム（８）は螺旋カムであることを特徴とする請求項１または２記載の注ぎ口具。
【請求項４】
前記第一カム（８）は、中央の弧状ピラー（１３）から高さが減少していることを特徴とする請求項３記載の注ぎ口具。
【請求項５】
前記第二カム（１０）は湾曲カムであることを特徴とする請求項１〜４のいずれか１項記載の注ぎ口具。
【請求項６】
前記第一カム（８）および第二カム（１０）は共通端領域（１２）を有していることを特徴とする請求項１〜５のいずれか１項記載の注ぎ口具。
【請求項７】
前記共通端領域（１２）は、再封可能蓋（２）の端壁（５）から距離を隔てていることを特徴とする請求項６記載の注ぎ口具。
【請求項８】
前記第一カム（８）および第二カム（１０）は共通端領域（１２）から共通方向に延びていることを特徴とする請求項１〜７のいずれか１項記載の注ぎ口具。
【請求項９】
前記第一カム（８）は、端壁（５）から離れる方向に、前記共通端領域（１２）から延びており、第二カム（１０）は、端壁（５）に近付く方向に、共通端領域（１２）から延びていることを特徴とする請求項８記載の注ぎ口具。
【請求項１０】
前記フラップ（２６）はそのセグメントに沿って延びているヒンジ（２８）を有し、フラップ（２６）は、該フラップ（２６）と側壁（２４）との間の弧状ギャップ（３０）により境界が定められており、該ギャップ（３０）は、フラップ（２６）がヒンジ（２８）の回りで回転することを可能にしていることを特徴とする請求項１〜９のいずれか１項記載の注ぎ口具。
【請求項１１】
前記フラップ（２６）のカムフォロワ（３２）は三角形であることを特徴とする請求項１〜１０のいずれか１項記載の注ぎ口具。
【請求項１２】
前記カムフォロワ（３２）は、ヒンジ（２８）に対して垂直に、フラップ（２６）に形成されていることを特徴とする請求項１１記載の注ぎ口具。
【請求項１３】
前記カムフォロワ（３２）はフラップ（２６）の上面から延びていることを特徴とする請求項１１記載の注ぎ口具。
【請求項１４】
前記フラップ（２６）の下面からカッティング部分（３４）が延びていることを特徴とする請求項１１記載の注ぎ口具。
【請求項１５】
前記蓋（２）の側壁（３）には、弧状セクション（１８）を備えた不正開封明示要素（１６）が脆弱に連結されていることを特徴とする請求項１〜１４のいずれか１項記載の注ぎ口具。
【請求項１６】
前記不正開封明示要素（１６）は、少なくとも１つのニブ（２０）を介して蓋（２）の側壁（３）に取付けられていることを特徴とする請求項１５記載の注ぎ口具。
【請求項１７】
請求項１〜１６のいずれか１項記載の注ぎ口具による自動開口構造の注ぎ口固定具。
【請求項１８】
請求項１〜１６のいずれか１項記載の注ぎ口具による自動開口構造の再封可能蓋。
【発明の詳細な説明】
【技術分野】
【０００１】
本発明は、パッケージ用の注ぎ口具の構造に関し、より詳しくは、液体運搬パッケージ用注ぎ口具の自動開口構造のカムに関する。
【背景技術】
【０００２】
自動開口構造を備えた注ぎ口具は、注ぐことができる食料品のパッケージおよび容器に使用できる。これらの形式の注ぎ口具は、再封可能キャップと、パッケージに固定される注ぎ口固定具とを有している。自動開口構造は、再封可能キャップの内側に形成されたカムと、カムフォロワが形成されたヒンジ型フラップとを有している。ヒンジ型フラップは、注ぎ口固定具内に配置されている。注ぎ口具は、パッケージの弱化領域に隣接して、またはパッケージの孔をシールするフィルムに隣接してパッケージの外面に取付けることができる。このような注ぎ口具は、特許文献（下記特許文献１および２参照）に開示されている。
【０００３】
自動開口構造を備えた同様な形式の注ぎ口具を開示する他の従来技術文献として、Rexam Medical Packaging Inc.の出願に係る特許文献（下記特許文献３参照）がある。この特許文献では、注ぎ口固定具は、三角形の形状を有しかつヒンジ型フラップから上方に延びているカムフォロワを有している。再封可能キャップの内面からは、螺旋カムが延びている。キャップを開けるときに、カムフォロワは螺旋カムに沿って摺動し、フラップをヒンジの回りで下方に回転させる。
【０００４】
【特許文献１】
公開ＰＣＴ出願ＷＯ ９８／４１４５２号公報
【特許文献２】
公開ＰＣＴ出願ＷＯ ９８／６２７５５号公報
【特許文献３】
欧州特許出願ＥＰ １１２７７９８号公報
【発明の開示】
【発明が解決しようとする課題】
【０００５】
本発明者は、自動開口構造を備えた幾つかの注ぎ口具では、蓋が注ぎ口固定具上に戻されると、カムフォロワがカムの半径方向外方に配置され、従って自動開口構造が作動不能になってしまうことを見出している。カムフォロワが半径方向に変位すると破壊を生じさせる可能性があり、カムフォロワが注ぎ口固定具からポキンと折れてしまうことがある。
【課題を解決するための手段】
【０００６】
本発明の第一態様によれば、注ぎ口固定具および再封可能蓋を備えた注ぎ口具の自動開口構造が提供される。この自動開口構造は、再封可能蓋に形成された第一カムと、注ぎ口固定具に形成されたカムフォロワと、再封可能蓋に形成されかつ第一カムの半径方向外方に配置された第二カムとを有している。
【０００７】
使用に際し、カムフォロワが第一カムの半径方向外方に配置された場合に、第二カムは、カムフォロワを、第一カムとの正しい作動関係に戻す手段を形成する。
【０００８】
第二カムは、第一カムに実質的に隣接していることが好ましい。
第一カムは螺旋カムが好ましい。
第二カムは湾曲カムが好ましい。
第一カムおよび第二カムは共通端領域を有することが好ましい。
【０００９】
再封可能蓋は一端が端壁により閉じられた管状壁を有し、第一カムは、端壁から離れる方向に、共通端領域から延びており、第二カムは、端壁に近付く方向に、共通端領域から延びているのが好ましい。
共通端領域は、再封可能蓋の端壁から距離を隔てているのが好ましい。
【００１０】
本発明の好ましい実施例では、第一カムおよび第二カムが共通端領域から共通方向に延びており、この構造は、第一カムのカム面が端壁から離れるように上昇し、第二カムのカム面が端壁に近付くように下降するように構成される。
【００１１】
本発明の第二態様によれば、本発明の第一態様による自動開口構造の再封可能蓋を備えた注ぎ口具が提供される。
【００１２】
本発明の第三態様によれば、本発明の第一態様による自動開口構造の再封可能蓋が提供される。
本発明には、本願で説明する特徴および制限の任意の組合せが含まれる。
【発明を実施するための最良の形態】
【００１３】
本発明は多くの形態で実施できるが、単なる例示としての添付図面を参照して本発明の実施例を以下に説明する。
【００１４】
図面に示すように、注ぎ口具は、再封可能蓋２（図１および図２に示す）と、注ぎ口固定具４（図３〜図７に示す）とを有している。
【００１５】
蓋２は管状側壁３を有し、該側壁３の一端は端壁５により閉じられている。管状側壁３は、蓋２の内部要素が良く見えるように一部が切除されている。側壁３には雌ねじ６が形成されている。端壁５の内面には第一カム８が形成されており、該第一カム８の半径方向外方部分には第二カム１０が設けられている。
【００１６】
第一カム８は螺旋形状を有しかつ傾斜カム面１１を有している。該傾斜カム面１１は、端壁５から離れるように上方に向かってかつ中央の弧状ピラー１３に向かって、その端領域１２から反時計回り方向に延びている。第二カム面１０は傾斜カム面１４を有し、該傾斜カム面１１は、端壁５に向かって下方に、その端領域１２から反時計回り方向に延びている。
【００１７】
不正開封明示要素１６は、３つのニブ（針状部）２０を介して側壁３に対して脆弱に取付けられた弧状セクション１８を有している。この弧状セクション１８には、２つのスパイク２２が形成されている。
【００１８】
注ぎ口固定具４は、平ベース２９と、管状側壁２４と、ディスク状フラップセクション２６とを有し、該フラップセクション２６は、側壁２４の下端部に配置されかつヒンジ２８により該下端部に取付けられている。フラップ２６は、その大部分が弧状ギャップ３０により側壁２４から分離されており、ヒンジ２８の回りで回転できるようになっている。フラップ２６の上面からは三角形のカムフォロワ３２が延びており、フラップ２６の下面からはカッティング部分３４が延びている。ベース２９は、側壁２４の下端部の回りで部分的に延びている環状部分３６と、フランジ部分３８とを有し、該フランジ部分３８には、不正開封明示要素１６のスパイク２２を受入れることができる２つの孔４０が形成されている。管状側壁２４には、蓋２の雌ねじ６に螺合する雄ねじ４２が形成されている。
【００１９】
使用に際し、注ぎ口固定具４のベース２９は、フラップ２６が容器の弱化領域に隣接するようにして容器に取付けられる。再封可能蓋２が注ぎ口固定具４上に置かれ、スパイク２２が孔４０内に受入れられかつ保持される。閉状態で、カムフォロワ３２の上方部分は端領域１２に配置される。最初に蓋２のねじを緩めて注ぎ口固定具４から外すとき、脆弱ニブ２０が破壊され、弧状セクション１８は、依然としてフランジ部分３８に取付けられた状態に維持される。蓋２のねじが注ぎ口固定具４から緩められるとき、カムフォロワ３２は、第一カム８のカム面１１に沿って矢印５０の方向に移動する。カム面１１が急勾配に傾斜しておりかつカムフォロワ３２が傾斜していることにより、カムフォロワ３２がカム面１１に沿って移動すると、フラップ２６がヒンジ２８の回りで回転する。フラップ２６が回転すると、カッティング部分３４が容器の弱化領域に押付けられて該弱化領域を突刺す。容器を突刺すこの方法は当業者に知られておりかつ上記特許文献３に開示されている。
【００２０】
或る状況では、カムフォロワ３２がカム面１１から離れて、カム面１１から半径方向外方に配置されるようになる。カムフォロワ３２がこの状態を維持するときは、蓋２のねじを注ぎ口固定具４から緩めても、カムフォロワ３２およびフラップ２６はヒンジ２８の回りで枢動されない。従って、注ぎ口具が実質的に作動不能となってしまい、カムフォロワ３２が注ぎ口固定具４からポキンと折れてしまうこともある。
【００２１】
本発明の第二カム１０は、カムフォロワ３２を第一カム８のカム面１１上に戻す手段を形成する。カムフォロワ３２がカム面１１から半径方向外方に配置されたときに、蓋２を矢印５０の方向とは逆方向に回転すると、カムフォロワ３２の端部が第二カム１０のカム面１４と接触するようになる。蓋２を、矢印５０の方向とは逆方向に更に回転すると、カムフォロワ３２はカム面１４を通って端領域１２の方向に移動する。カムフォロワ３２が端領域１２に到達すると、カムフォロワ３２は半径方向内方に移動して、第一カム８のカム面１１に戻ることができる。これにより、カムフォロワ３２は、次の開作動のために正しく配置される。
【００２２】
第一カムおよび第二カムの方向は、使用されるねじの形式、すなわち右ねじが使用されるか、左ねじが使用されるかによって決められることは理解されよう。
【図面の簡単な説明】
【００２３】
【図１】本発明による再封可能蓋の一部を切除して示す第一斜視図である。
【図２】図１の再封可能蓋を示す第二斜視図である。
【図３】本発明による注ぎ口固定具の頂部を示す斜視図である。
【図４】図３の注ぎ口固定具を底部を示す斜視図である。
【図５】図３および図４の注ぎ口固定具を示す平面図である。
【図６】図３〜図５の注ぎ口固定具を示す平面図である。
【図７】図５のＸ−Ｘ線に沿う断面図である。
【符号の説明】
【００２４】
２    再封可能蓋
４    注ぎ口固定具
８    第一カム
１０    第二カム
１１    傾斜カム面
１４    傾斜カム面
２６    フラップセクション
２８    ヒンジ
３２    カムフォロワ
３４    カッティング部分
【図１】
2005506255.tif 000003
【図２】
2005506255.tif 000004
【図３】
2005506255.tif 000005
【図４】
2005506255.tif 000006
【図５】
2005506255.tif 000007
【図６】
2005506255.tif 000008
【図７】
2005506255.tif 000009
【国際公開パンフレット】
2005506255.tif 000010
2005506255.tif 000011
2005506255.tif 000012
2005506255.tif 000013
2005506255.tif 000014
2005506255.tif 000015
2005506255.tif 000016
2005506255.tif 000017
2005506255.tif 000018
2005506255.tif 000019
2005506255.tif 000020
2005506255.tif 000021
2005506255.tif 000022
2005506255.tif 000023
2005506255.tif 000024
2005506255.tif 000025
【国際調査報告】
2005506255.tif 000026
2005506255.tif 000027